(57)【要約】      （修正有）【課題】金属性コルゲート管、ゴムチップ、石材を利用した融雪マットの熱伝導の向上によって効率良くマット上の融雪が出来、また敷設、取り外し、移動が容易で経済性、歩行性、安全性に優れ身体に、環境に優しい融雪マットの提供。【解決手段】融雪マット１内の金属性コルゲート管を往き、戻り、対交流、平行配管にして、熱量を大量に放熱させ、融雪マット上に積もった雪を融雪する装置。金属性コルゲート管は、放熱効果と柔軟性の特徴を生かしてゴムチップ材と石材を一体化する。簡単かつ迅速に既設路盤上、屋内床に直接敷設可能、又取り外しも簡単。金属性コルゲート管の上部に金属性メッシュ加工板８を入れ熱伝導を上げ、更に強度が増し、熱伝導性、保温力が保たれ、透水性、柔軟性があり、一般のロードヒーティングより、より経済性に富んだ、やさしい融雪マットを開発した。又、融雪マットは、リサイクルにも対応でき、再製が可能である。【選択図】図１
2005282333.tif 000002
【特許請求の範囲】
【請求項１】
ゴムチップ材に石材を混合させバインダーで圧搾加工で一体化したマット内に熱媒体の循環用パイプに金属性コルゲート管を埋設、金属性コルゲート管の上部に金属性メッシュ加工板を入れる事によって更なる伝熱効果とマットの増強を図る、配管は、往き戻りの対交流平行配管してマット全体の温度の均一化と熱伝導、保温効果の高い弾力性のある融雪マット、よってゴムチップ材、石材、金属性コルゲート管、金属性メッシュ加工板の４つの構成からなる融雪マット
【発明の詳細な説明】
【技術分野】
【０００１】本発明は、簡易に施工ができ又、取り外しもでき十分な融雪能力と多少の凹凸路盤でも敷設可能な経済性のある融雪マットに関するものである。
【背景技術】
【０００２】近年、高齢化が進み冬対策が急務とされてきています、特に冬場の除雪、排雪対策が必要とされています。
高齢化になると雪対策が出来なく住み慣れた地を離れマンション、老人施設にやむなく行かれる方が多くなってきています。【０００３】除雪用に小型除雪機、融雪用に融雪機、融雪槽などが商品化されていますが高齢者には向かない。【０００４】住宅の歩道、玄関前や車庫前、駐車場など通路確保の為ロードヒーティングが高齢者に必要と思われますが、しかし、工事費、設備費、維持費が非常に高くつき設備したくてもなかなか手が出ない。【０００５】今までのロードヒーティングは温水循環パイプを現場で敷きつめて、土木工事が伴う、コンクリートとアスファルト仕上げ工事が必要で施工費もかさむ、融雪能力は、もろにコンクリート及びアスファルトを暖め地上の雪を溶かすため路盤の熱容量大きく温度の立ち上がりも遅く時間がかかり経済性が良くない。【０００６】環境にやさしい廃タイヤなどのゴムチップを利用した効率の良いロードヒーティング、融雪マットの開発が出来ないか。
【発明の開示】
【発明が解決しょうとする課題】
【０００７】ゴムチップ融雪マット内に熱媒体用配管を通し歩道、玄関前、車庫前、駐車場、屋内などに設置できアスファルト、砂利、土、石畳など多少の凹凸路盤上に敷き設出来る事を目的とする為、課題になる耐圧温水配管（パイプ）の解決とゴムによる熱伝導率を上げる事である。
【０００８】ゴムの特性により、特に温水管と温水管の間に大きな温度差が生じマット上の雪が残ることが懸念される。
【０００９】融雪マットは透水性及び耐車両荷重性があること、さらに柔軟性を保ち熱伝導を均一に上げ即効性と保温力があり経済性であることを目的とする。
【００１０】マット式にして自由に組み立て前後左右に拡張でき、希望する面積を融雪出来ること。
【００１１】敷き設、取り外しも簡単にでき自由に移動が可能なこと。
【課題解決の手段】
【００１２】本発明は、熱媒体を放熱管に流しゴムチップを利用したマット内の所定の場所に往き、戻りの金属性コルゲート管を平行に網羅配管し、熱媒体熱量を金属性コルゲート管で放熱し融雪マット上に積もった雪を融雪する装置において、上記放熱管として放熱面積の多い金属性コルゲート管を用いたことを特徴とする融雪マット。
【００１３】金属性コルゲート管は往き戻りの対交流にし平行配管として表面温度の均一化並びに接続融雪マット間どうしの温度に対して平均化を図った。
【００１４】ゴムチップを利用した融雪マットはコルゲート管とコルゲート管の間に大きな温度差が生じる為、石材を混合させ温度の均一化と保温効果及び熱伝導を図った。
【００１５】融雪マットはコルゲート管の上部に金属性メッシュ加工版を入れ更なる伝熱効果とゴムチップ融雪マットの強度を持たせ柔軟性を損わないで融雪効果を上げる。
【００１６】融雪マットの大きさも自由に替えられマットの連結により簡単施工性に富み既設路盤上に前後左右に敷き設可能又、取り外しも可能にする。
【００１７】放熱面積の一番取れるコルゲート管を融雪マットに入れる事によって融雪能力とゴムの柔軟性の確保、耐車両荷重にも耐えられる事が特徴である。
【００１８】熱伝導性に対してゴムはあまり良くない為、熱伝導面積のもっとも多い金属コルゲート配管の研究、マットの隅々まで配管加工しやすく、熱伝導の効果と熱伝導の均一化を図る。
【００１９】熱媒体の往き戻りの対交流平行配管で融雪マット全体の均一化を図るがさらにパイプ間の温度差を細部に亘って放熱の均一化と保温の効果を上げる為、金属性メッシュ板と、ゴムチップと２から３ミリの石材（用途によって異なる）との混合により熱伝導と保温の向上をさらに狙う。
【発明の効果】
【００２０】金属性コルゲート管は自由に曲げられ、重圧にも十分な耐車両荷重に絶えられ融雪マットの上から２寸ぐらいの釘をげんのうで打っても金属性コルゲート管は絶えられることが実験で分かりました。
【００２１】金属性コルゲート管を融雪マットの中に１０ｍｍ間隔に管を平行に埋めこみ、往き戻りの対交流平行配管し、融雪マット本体温度の均一化と接続された融雪マット間どうしの温度の均一化を図る。
【００２２】解けた水もゴムチップ空間層を通過し地表面に排出でき解けた水で面が凍ることが少ない為安全性に特に富んでいる。
【００２３】金属性コルゲート管は一定のピッチで管の太さを増減させ凹凸の波形をしているためストレート管よりはるかに放熱面積が多い金属性コルゲート管を使用する事によって十分融雪を発揮でき、ゴムの特徴である柔軟性も保たれ廃タイヤなどを利用した環境に優しい融雪マットの開発が出来た。
【００２４】融雪マットは柔軟性と透水性が抜群に良くさらに、歩行性、安全性に優れている。
【００２５】融雪マットは簡単に敷き設、取り外し、移動も簡単にでき費用面では非常に安く提供できます。
【００２６】金属性コルゲート管はゴムチップと石材に囲まれたマット内では重圧にも十分な耐車両荷重に絶えられる能力がある事が判明致しました。
【発明を実施するための最良の形態】
【００２７】本発明は、金属性コルゲート管は８ｍｍから３５ｍｍで融雪能力に応じて金属性コルゲート管を使用し融雪マットは、幅９００ｍｍ、長さ９００ｍｍから長さ１８００ｍｍ、正方形、長方形で厚さ１５ｍｍから５０ｍｍのゴムチップマット内に９０ｍｍ幅で往き戻り管を対交流平行配管に埋めこむ、又設置場所によって自由に融雪マットの形を替えることが出来る。【００２８】本発明は、ゴムチップ材は１ミリから３ミリで透水性と重圧による管の変形を考慮、又材料はゴムチップと金属性コルゲート管、保温効果をさらに上げる為、金属性メッシュ加工板を入れさらに石材を混合し一体成形したのが特徴である。【００２９】融雪マットは自由に路盤、又は、床の上に敷き設でき融雪マットの組み合わせは前後、左右と自由に敷き設できるのが特徴であります。【００３０】融雪マットは、取り外しが簡単にでき移動及び保管が可能。【００３１】ゴムチップ融雪マットは表面が凍りづらく人，及び車両が載ると氷が割れ雪も付着しにくい性質がある。【００３２】  ゴムチップ融雪マットは、外気との差が大きいのが特徴である。
【実施例】以下本発明の一実施例を図面で参照して説明する。【００３３】図１は本発明の融雪マット全体を構成する斜視図であり、図２は同融雪マットの平面図を示している。【００３４】図３、図４は符号２の拡大図と具体例、金属性コルゲート管の２種類を表した平面図。【００３５】図１は融雪マット本体、融雪用の符号２金属性コルゲート管を符号３往き符号４戻り管を対交流平行配管とし、図１は本発明の融雪マットであり符号３金属性コルゲート管往き、符号４金属性コルゲート管戻りで熱媒体が流れる。【００３６】図３、図４、金属性コルゲート管は外周面、内周面が凹凸状の波形をしている為、その分表面面積が大きくなり、放熱面積も大きくなる。
外周、内周が凹凸状の波形をしているので曲がりには加工しやすく、周囲からの圧力には非常に強いのが特徴の為、融雪マットに最適である。【００３７】符号２金属性コルゲート管は符号３往き、符号４戻り、対交流平行配管で配管の上に符号８金属性メッシュ加工板を使用、融雪マットは１から３ｍｍのゴムチップと１から３ミリ（用途によって異なる）の石材を混ぜる事によってさらに融雪マット全体の熱伝導、保温効果を上げる事に成功。【００３８】図５は融雪マット本体の平面図で長方形の融雪マット。【００３９】図６は１個用ボックスで接続パイプの処理ボックスである。【００４０】図７は１個用連結ボックス金具で特に起伏の激しい既設路盤上で使用するボックス金具、この１個用ボックス金具ですべての融雪マット本体を自由自在に連結する事が特徴である。【００４１】図７から図８は融雪マットを連結するそれぞれのボックス金具。【００４２】図１１は融雪マットの具体例と、本発明の実施例をそれぞれ示している。
【産業上の利用可能性】
【００４３】
【００４４】融雪マットは簡単に敷き設施工ができ拡張も前後、左右に希望する既存路面上を敷き設、又取り外しができる融雪マット、玄関前、歩道、駐車場、ときには建物の床も敷き設可能である。
【図面の簡単な説明】
【００４５】
【図１】融雪マット斜視図
【図２】融雪マット正方形平面図
【図３】金属性コルゲート管の平面図
【図４】斜め金属性コルゲート管平面図
【図５】融雪マット長方形平面図
【図６】１個用ボックス金具平面図
【図７】１個用ボックス連結シャフト付金具平面図
【図８】融雪マット二枚連結ボックス金具平面図
【図９】融雪マット三枚連結ボックス金具平面図
【図１０】融雪マット四枚連結ボックス金具平面図
【図１１】融雪マット敷き設平面図
【符号の説明】
【００４６】１．  融雪マット本体
２．  金属製コルゲート管，又は斜め金属性コルゲート管
３．  金属製コルゲート管、往き接続口
４．  金属製コルゲート管、戻り接続口
５．  金属製コルゲート管、往き接続口
６．  金属製コルゲート管、戻り接続口
７．  融雪マット間押さえ金具溝
８．  金属製メッシュ加工板
９．  ボックス取りつけボルト穴
１０．金属性コルゲート管接続パイプ
１１．融雪マット連結用シャフト
１２．金属性コルゲート管の凸部
１３．金属性コルゲート管の凹部
１４．斜め金属性コルゲート管の凹部
１５．斜め金属性コルゲート管の凸部
【図１】
2005282333.tif 000003
【図２】
2005282333.tif 000004
【図３】
2005282333.tif 000005
【図４】
2005282333.tif 000006
【図５】
2005282333.tif 000007
【図６】
2005282333.tif 000008
【図７】
2005282333.tif 000009
【図８】
2005282333.tif 000010
【図９】
2005282333.tif 000011
【図１０】
2005282333.tif 000012
【図１１】
2005282333.tif 000013
【手続補正書】
【提出日】平成16年6月8日(2004.6.8)
【手続補正１】
【補正対象書類名】明細書
【補正対象項目名】００２１
【補正方法】変更
【補正の内容】
【００２１】金属性コルゲート管を融雪マットの中に９０ｍｍ間隔に管を平行に埋めこみ、行き戻りの対交流平行配管し、融雪マット本体温度の均一化と接続された融雪マット間どうしの温度の均一化を図る。